(57)【要約】【課題】異なる方向に電子カードを挿入でき、スライドシートをスライドして金属ケースと外部電子装置を電気的に接続でき、使用に便利で拡充性が高いカードリーダー。【解決手段】ケース内の収容空間にスライドシートと回路モジュールを収容し、一側に開口を、外側辺に位置決め溝を設け、ケース表面に収容空間に連通する挿入口を開設し、該スライドシートに金属ケースを結合し、弾性アームが該位置決め溝外に露出するスライド部品を外側辺に位置決めし、スライドシートにケースの挿入口に整合する挿入溝を設け、該金属ケース内に回路モジュールを収容し、回路板に複数の金属接点を形成し、下方に複数の導電端子を具えた絶縁フレームを結合し、導電端子の接触端を絶縁フレーム底部の挿入空間内に延伸し、回路板に垂直に拡充モジュールを位置決めし、端子位置決めシートに通した複数の接触端子の接触端をスライドシートの挿入溝内に延伸する。【選択図】図２
2010040025.tif 000002
【特許請求の範囲】
【請求項１】
ケース、スライドシート及び回路モジュールで構成されたカードリーダーにおいて、
該ケース内部に該スライドシートと該回路モジュールを収容できる収容空間があり、該収容空間の一側に開口が形成され、該ケースの、該開口に隣接する部分の外側に位置決め溝が設けられ、
該スライドシートは外部電子装置と接続可能な金属ケースと結合され、該スライドシートの外側辺に該位置決め溝外に露出する押動部品が位置決めされ、
該回路モジュールは該金属ケース内に収容される回路板を具え、該回路板に該外部電子カードと電気的接続を形成可能な複数の金属接点が設けられたことを特徴とする、カードリーダー。
【請求項２】
請求項１記載のカードリーダーにおいて、該ケースは該位置決め溝内壁面に少なくとも二つの相互に対応する係止溝を具え、該押動部品は基部を具え、該基部の一側に、内向きに延伸されて側方から該金属ケースの後側辺を保持する保持部が設けられ、該保持部の別側が外向きに折り曲げられて延伸されて内外に弾性移動可能な弾性アームが形成され、該弾性アームに該係止溝と係合可能な係合ブロックが設けられ、該弾性アームと該基部の接続部分に割り溝が設けられ、該弾性アームの内側壁面に該金属ケースの外側辺を保持するための保持ブロックが設けられたことを特徴とする、カードリーダー。
【請求項３】
請求項１記載のカードリーダーにおいて、該ケースは中空収容体とされ、その中空部の形成する収容空間底面にガイドレールが設けられ、該スライドシートの底部に該ガイドレールにアラインする少なくとも一つの貫通孔が設けられ、各該貫通孔内に弾性片が延伸され、並びに弾性片表面に下向きに、該ガイドレール内側部分に摺動可能に保持されるスライドブロックが設けられたことを特徴とする、カードリーダー。
【請求項４】
請求項１記載のカードリーダーにおいて、該スライドシートの前側開口に隣接する外側辺に該位置決め溝とアラインする中空孔が設けられ、該中空孔内に該押動部品が位置決めされ、該スライドシートの内側底面に係止溝があり、該金属ケースの底部に該係止溝に対応する係止部が設けられ、該係止部が該係止溝内に係合し位置決めされることを特徴とする、カードリーダー。
【請求項５】
請求項１記載のカードリーダーにおいて、該金属ケースがＵＳＢプラグ形式に符合し並びに該スライドシートの前側開口部分より突出し、該金属ケースの内部に該回路モジュールを収容可能な接合空間があり、該回路モジュールの回路板上の複数の金属接点はＵＳＢ形式に符合することを特徴とする、カードリーダー。
【請求項６】
ケース、スライドシート及び回路モジュールで構成されたカードリーダーにおいて、
該ケース内部に該スライドシートと該回路モジュールを収容できる収容空間があり、該収容空間の一側に開口が形成され、該ケースの、該開口に隣接する部分の外側に位置決め溝が設けられ、
該スライドシートは外部電子装置と接続可能な金属ケースと結合され、該スライドシートの外側辺に該位置決め溝外に露出する押動部品が位置決めされ、
該回路モジュールは該金属ケース内に収容される回路板を具え、該回路板に該外部電子カードと電気的接続を形成可能な複数の金属接点が設けられ、該回路板の下方に絶縁フレームが結合され、該絶縁フレームに複数の導電端子が設けられ、該絶縁フレームの底部に該導電端子の接触端が伸入する挿入空間が設けられたことを特徴とする、カードリーダー。
【請求項７】
請求項６記載のカードリーダーにおいて、該ケースは該位置決め溝内壁面に少なくとも二つの相互に対応する係止溝を具え、該押動部品は基部を具え、該基部の一側に、内向きに延伸されて側方から該金属ケースの後側辺を保持する保持部が設けられ、該保持部の別側が外向きに折り曲げられて延伸されて内外に弾性移動可能な弾性アームが形成され、該弾性アームに該係止溝と係合可能な係合ブロックが設けられ、該弾性アームと該基部の接続部分に割り溝が設けられ、該弾性アームの内側壁面に該金属ケースの外側辺を保持するための保持ブロックが設けられ、該ケースが中空収容体とされ、その中空部に形成された収容空間底面にガイドレールが設けられ、該スライドシートの底部に該ガイドレールとアラインする少なくとも一つの貫通孔が設けられ、各該貫通孔内に弾性片が延伸され、並びに弾性片表面に下向きに、該ガイドレール内側部分に摺動可能に保持されるスライドブロックが設けられたことを特徴とする、カードリーダー。
【請求項８】
請求項６記載のカードリーダーにおいて、該スライドシートの前側開口に隣接する外側辺に該位置決め溝とアラインする中空孔が設けられ、該中空孔内に該押動部品が位置決めされ、該スライドシートの内側底面に係止溝があり、該金属ケースの底部に該係止溝に対応する係止部が設けられ、該係止部が該係止溝内に係合し位置決めされ、該金属ケースがＵＳＢプラグ形式に符合し並びに該スライドシートの前側開口部分より突出し、該金属ケースの内部に該回路モジュールを収容可能な接合空間があり、該回路モジュールの回路板上の複数の金属接点はＵＳＢ形式に符合することを特徴とする、カードリーダー。
【請求項９】
請求項６記載のカードリーダーにおいて、該絶縁フレームに設けられた複数の導電端子の一側のソルダー端が該回路板の底面の接点に半田付けされ、該導電端子の別側が下向きに斜めに延伸されてなる接触端が該絶縁フレームの底部の該挿入空間内に延伸され、該挿入空間に外部電子カードを挿入可能で、該電子カードの表面に設けられた複数の接点が該複数の導電端子の接触端と電気的接続を形成することを特徴とする、カードリーダー。
【請求項１０】
ケース、スライドシート及び回路モジュールで構成されたカードリーダーにおいて、
該ケース内部に該スライドシートと該回路モジュールを収容できる収容空間があり、該収容空間の一側に開口が形成され、該ケースの、該開口に隣接する部分の外側に位置決め溝が設けられ、該ケースの表面に、該収容空間内に連通する挿入口が設けられ、
該スライドシートは外部電子装置と接続可能な金属ケースと結合され、該スライドシートの外側辺に該位置決め溝外に露出する押動部品が位置決めされ、該スライドシートの、該ケースの該挿入口にアラインする位置に垂直に該開口内に連通する挿入溝が設けられ、  該回路モジュールは該金属ケース内に収容される回路板を具え、該回路板に該外部電子カードと電気的接続を形成可能な複数の金属接点が設けられ、該回路板に端子位置決めシートを具えた拡充モジュールが垂直方向に結合され、該端子位置決めシートに複数の接触端子を挿着する端子溝が設けられ、該接触端子が基部の一側のソルダー端で該回路板の表面の接点に半田付けされ、該ソルダー端より離れた別側が反対方向に折り曲げられ延伸されて弾性折り曲げ部が形成された後、さらに外向きに延伸されて該挿入溝に挿入される接触端が形成され、外部電子カードが該挿入口に挿入されて下方の挿入溝へと移動させられて該端子位置決めシートに設けられた複数の接触端子の接触端に圧接して電気的接続を形成可能であることを特徴とする、カードリーダー。
【請求項１１】
請求項１０記載のカードリーダーにおいて、該ケースは該位置決め溝内壁面に少なくとも二つの相互に対応する係止溝を具え、該押動部品は基部を具え、該基部の一側に、内向きに延伸されて側方から該金属ケースの後側辺を保持する保持部が設けられ、該保持部の別側が外向きに折り曲げられて延伸されて内外に弾性移動可能な弾性アームが形成され、該弾性アームに該係止溝と係合可能な係合ブロックが設けられ、該弾性アームと該基部の接続部分に割り溝が設けられ、該弾性アームの内側壁面に該金属ケースの外側辺を保持するための保持ブロックが設けられ、該ケースが中空収容体とされ、その中空部に形成された収容空間底面にガイドレールが設けられ、該スライドシートの底部に該ガイドレールとアラインする少なくとも一つの貫通孔が設けられ、各貫通孔内に弾性片が延伸され、並びに該弾性片表面に下向きに、該ガイドレール内側部分に摺動可能に保持されるスライドブロックが設けられたことを特徴とする、カードリーダー。
【請求項１２】
請求項１０記載のカードリーダーにおいて、該スライドシートの前側開口に隣接する外側辺に該位置決め溝とアラインする中空孔が設けられ、該中空孔内に該押動部品が位置決めされ、該スライドシートの内側底面に係止溝があり、該金属ケースの底部に該係止溝に対応する係止部が設けられ、該係止部が該係止溝内に係合し位置決めされ、該金属ケースがＵＳＢプラグ形式に符合し並びに該スライドシートの前側開口部分より突出し、該金属ケースの内部に該回路モジュールを収容可能な接合空間があり、該回路モジュールの回路板上の複数の金属接点はＵＳＢ形式に符合することを特徴とする、カードリーダー。
【請求項１３】
請求項１０記載のカードリーダーにおいて、該絶縁フレームに設けられた複数の導電端子の一側のソルダー端が該回路板の底面の接点に半田付けされ、該導電端子の別側が下向きに斜めに延伸されてなる接触端が該絶縁フレームの底部の該挿入空間内に延伸され、該挿入空間に外部電子カードを挿入可能で、該電子カードの表面に設けられた複数の接点が該複数の導電端子の接触端と電気的接続を形成することを特徴とする、カードリーダー。
【発明の詳細な説明】
【技術分野】
【０００１】
本発明は一種のカードリーダーに係り、特に異なる方向に電子カードを挿入でき、スライドシートと金属ケースをスライドさせて外部電子装置と電気的に接続でき、使用に便利で拡充性が高く、適用範囲の広いカードリーダーに関する。
【背景技術】
【０００２】
デジタルテクノロジー、デジタルマルチメディアテクノロジーの進歩により、市場には各種の異なる型式、ブランドの電子製品、例えば、デジタルカメラ、デジタルビデオカメラ及びデジタルレコーダー、ＭＰ３プレイヤーから、携帯電話、ＰＤＡ、デジタルテレビ、デスクトップ型コンピュータ或いはノートブック型コンピュータに至るまで多種多様な製品が溢れ、不断に新規性と進歩性が追求され、コンパクトで軽量で多機能な方向へと向かっている。
【０００３】
上述の多くのデジタル製品中、一般にはメモリカードを差し込んで使用できるスロットが設けられ、データの保存、読み出し或いはメモリ容量拡充等の機能に利用される。このほか、現在、市場で採用されているメモリカードは、コンパクトフラッシュ（登録商標）、メモリースティック（登録商標）、ＳＤ（登録商標）カード、ＭＭＣ（登録商標）カード、スマートメディア（登録商標）カード及び、及びそれらを基礎として改良して得られた系列のメモリカード、例えばＭｉｎｉ  ＳＤ（登録商標）カード、Ｍｓ  Ｄｕｏ（登録商標）カード、Ｍｉｃｒｏ  ＳＤ（登録商標）カード、メモリースティックマイクロカード（Ｍ２カード）（登録商標）等の規格があり、広く消費者の注目を集めており、並びに不可欠のツールとなっている。
【０００４】
さらに、メモリカード中のデータにアクセスする場合は、周辺設備のカードリーダーをコンピュータとの接続のインタフェースとし、並びにカードリーダーのＵＳＢプラグをコンピュータのＵＳＢポートに差し込み、データの双方向アクセス、コミュニケーション及び処理などの動作を行い、さらにホットプラグ機能を有する。しかし、現在市販されているカードリーダーの体積は比較的大きく、場所をとり過ぎ、且つ携帯に不便であり、全体重量が重すぎるため、カードリーダーは直接コンピュータのＵＳＢポートに差し込むのに不便で、特に外部に突出して使用者が衝突してカードリーダーのＵＳＢプラグ、コンピュータのＵＳＢポートが破壊されて故障、損壊する問題と欠点が発生し、余分にＵＳＢケーブルを購入し外部接続及びデータ伝送するしかなく、このためカードリーダーの使用上のコストがアップするのみならず、コンピュータ周辺のケーブルが益々多くなり、ごちゃつきを形成し、使用上、不便である。
【０００５】
上述のカードリーダーの発生する問題を解決するため、業者は例えば図１０に示されるような特許文献１のカードリーダーＡを開発し、その上ケースＡ１が上開口Ａ１１を具え、且つ該上ケースＡ１と組み合わされる下ケースＡ２が設けられ、該下ケースＡ２に上開口Ａ１１と対向する下開口Ａ２１が設けられ、上ケースＡ１、下ケースＡ２内にプリント回路板Ｂが収容され、該プリント回路板ＢにＵＳＢ端子部Ｂ１が設けられ、プリント回路板Ｂの上開口Ａ１１と下開口Ａ２１にアラインする位置に、メモリカード端子部Ｂ２が設けられ、メモリカードが上開口Ａ１１と下開口Ａ２１より挿入され、カード読み出し作業が行なわれる。しかし、このカードリーダーは実際の使用時に、例えば以下のような欠点を有している。
（１）カードリーダーＡ内部のプリント回路板Ｂの一側にＵＳＢ端子部Ｂ１が設けられ、別側にメモリカード端子部Ｂ２が設けられるため、カードリーダーＡの長さが長くなり、体積が大きくなり、携帯、使用に不便である。
（２）カードリーダーＡのメモリカード挿入に供される上開口Ａ１１と下開口Ａ２１は上ケースＡ１と下ケースＡ２の側辺に設けられ、カードリーダーＡが電子装置に挿入される時、メモリカードの抜き差しの不便を形成し得る。
【０００６】
【特許文献１】台湾実用新案公告第Ｍ２８１２３９号（台湾実用新案出願第９４２１２９９３号）
【発明の開示】
【発明が解決しようとする課題】
【０００７】
ゆえに、如何に上述の従来の技術のメモリカード挿入の空間が形成する、体積の増大と抜き差しの不便の問題を解決するかが、当業者の研究開発の方向である。
【０００８】
本発明は体積が小さく、携帯に便利なカードリーダーを提供することを目的とする。
【課題を解決するための手段】
【０００９】
本発明のカードリーダーは、ケース内の収容空間にスライドシートと回路モジュールを収容し、一側に開口を、外側辺に位置決め溝を設け、ケース表面に収容空間に連通する挿入口を開設し、該スライドシートに金属ケースを結合し、弾性アームが該位置決め溝外に露出するスライド部品を外側辺に位置決めし、スライドシートにケースの挿入口に整合する挿入溝を設け、該金属ケース内に回路モジュールを収容し、回路板に複数の金属接点を形成し、下方に複数の導電端子を具えた絶縁フレームを結合し、導電端子の接触端を絶縁フレーム底部の挿入空間内に延伸し、回路板に垂直に拡充モジュールを位置決めし、端子位置決めシートに通した複数の接触端子の接触端をスライドシートの挿入溝内に延伸する。
【発明の効果】
【００１０】
これにより、異なる方向に電子カードを挿入でき、スライドシートをスライドさせて金属ケースを外部電子装置と電気的に接続でき、使用に便利で拡充性が高いカードリーダーとしている。
【発明を実施するための最良の形態】
【００１１】
図１、２、３、４は本発明の立体外観図、立体分解図、別角度の立体分解図、及び側面断面図である。これらの図から明らかであるように、本発明のカードリーダーは、ケース１、スライドシート２、及び回路モジュール３で構成されている。該ケース１の二側にはそれぞれ開口１１が形成され、そのうち一つの開口１１部分に外向きに斜辺１１１が形成され、ケース１の開口１１を設けた二側に隣接する外側辺に位置決め溝１２が設けられ、位置決め溝１２の上下の二側の内壁面に少なくとも二つの対向する係止溝１２１が設けられる。このほか、収容空間１０の底面部分に位置決め溝１２と平行を呈するガイドレール１３が設けられる。
【００１２】
該スライドシート２にＵＳＢプラグ形式に符合する金属ケース２１が結合され、該金属ケース２１は該スライドシート２の前側開口２１１部分より突出し、並びに金属ケース２１の内部に回路モジュール３を収容する接合空間２０が形成され、該スライドシート２の開口２１１に隣接する外側辺にケース１の位置決め溝１２とアラインする貫通孔２２があり、さらに該貫通孔２２内に内外に弾性移動可能な押動部品２３が位置決めされている。このほか、押動部品２３は基部２３１を有し、且つ基部２３１の一側に内向きに延伸されて側方から金属ケース２１の後側辺を保持する保持部２３２が設けられ、並びに保持部２３２の別側が外向きに折り曲げられて延伸されてケース１の位置決め溝１２外に突出する弾性アーム２３３が形成され、弾性アーム２３３の上下に係合ブロック２３４が設けられ、また、弾性アーム２３３と基部２３１の隣接部分に割り溝２３５が設けられ、弾性アーム２３３の内側壁面に金属ケース２１の外側辺を保持するための保持ブロック２３６がある。さらに、スライドシート２の底部に、少なくとも一つのガイドレール１３とアラインする貫通孔２４があり、各貫通孔２４内に弾性片２４１が延伸され、弾性片２４１の表面に下向きに、ガイドレール１３内側部分に摺動可能に保持されるスライドブロック２４２が設けられる。
【００１３】
該回路モジュール３は金属ケース２１の接合空間２０に収容される回路板３１を具え、並びに回路板３１の前側にＵＳＢ型式の複数の金属接点３１１が設けられ、且つ回路板３１の下方に絶縁フレーム３２が結合され、絶縁フレーム３２に複数の位置決め柱３２１が設けられ、位置決め柱３２１が回路板３１の対応する接合孔３１２内に挿入されて絶縁フレーム３２と回路板３１が一体に結合される。また、絶縁フレーム３２に複数の導電端子３３が設けられ、該導電端子３３の一側のソルダー端３３１は回路板３１の底面の対応する接点に半田付けされ、並びに導電端子３３の別側は下向きに斜めに延伸されて接触端３３２とされて絶縁フレーム３２底部の挿入空間３０内に延伸され、以上の部品が結合されて、本発明の主要な態様が完成する。
【００１４】
本発明を組み立てる時は、まず回路モジュール３をスライドシート２の金属ケース２１の接合空間２０内に収容し、並びに絶縁フレーム３２の二つの対応側辺の複数の係止部３２２と凸部３２３を金属ケース２１の対応する貫通レール溝２１２、嵌合溝２１３方向に押し込み、係止部３２２をレール溝２１２に嵌入して、凸部３２３を強制的に嵌合溝２１３内に圧入して係合位置決めして一体となした後、さらに金属ケース２１をスライドシート２の内部に収容し、且つ金属ケース２１の底部の係止部２１４をスライドシート２内側底面の対応する係止溝２４３内に係合する。このとき、押動部品２３の基部２３１の一側の保持部２３２を金属ケース２１の後側辺部分に保持し、押動部品２３をスライドシート２外側辺の貫通孔２２内に位置決めして一体とし、続けて、スライドシート２をケース１の開口１１方向に押し込んで、その底部の複数の弾性片２４１を順に収容空間１０底面部分のガイドレール１３に滑り込ませる。このスライド過程中、弾性片２４１のスライドブロック２４２がガイドレール１３内側に保持されて安定し且つ順調なスライドを形成し、また、押動部品２３の別側の弾性アーム２３３が圧力を受けて割り溝２３５部分より内向きに弾性移動し、並びに弾性アーム２３３内側壁面の保持ブロック２３６が金属ケース２１の外側辺に保持されてストッパ作用を形成し、押動部品２３が押動される時に弾性アーム２３３がケース１とスライドシート２間の空隙にひっかかり、構造上の破壊を発生して重複使用不能となる欠点が発生するのを防止する。ゆえに、スライドシート２が完全にケース１の収容空間１０内に押し込まれた時、押動部品２３の弾性回復力が釈放されることにより、弾性アーム２３３の上下二側の係合ブロック２３４が位置決め溝１２の対応する係止溝１２１内に位置決めされ、押動部品２３の弾性アーム２３３がケース１の位置決め溝１２外に露出し、内外弾性移動状態を呈し、こうして本発明の全体の組立を完成する。
【００１５】
続いて、本発明の図２、５、６、７、８を参照されたい。これらは本発明の立体分解図、使用前の立体図、使用時の局部立体図、使用後の立体図、好ましい実施例の立体図である。上述の部品を使用する時は、まず、押動部品２３の弾性アーム２３３の外表面の凹部２３３１部分を押圧し、弾性アーム２３３を内側に弾性移動させ、これにより弾性アーム２３３の上下二側の係合ブロック２３４をケース１の位置決め溝１２内の係止溝１２１の制限より離脱させ、並びに係合ブロック２３４の側辺の案内面２３４１を支持点とし、収容空間１０の内側壁面に沿って押動し、これにより、押動部品２３をスライドシート２とその金属ケース２１と共に開口１１の方向に退出させ、且つスライドシート２のスライド過程中、スライドシート２の底部の複数の弾性片２４１が貫通孔２４、金属ケース２１底部の空溝２１５内で内外に弾性移動し、スライドシート２スライド時に必要な弾性変形のゆとりを提供し、弾性片２４１に設けられたスライドブロック２４２がガイドレール１３内側で安定し且つ順調なスライドを形成し、それと共に、スライドシート２とケース１に緊密な結合による摩擦抵抗と過大な干渉が発生するのを防止し、関係する騒音、摩損の問題が発生するのを防止する。且つ弾性アーム２３３内側壁面の保持ブロック２３６が金属ケース２１外側辺に保持されてストッパ作用を形成し、押動部品２３の弾性失効時に弾性アーム２３３がケース１とスライドシート２間の間隙にひっかかるのを防止し、これにより、構造上の破壊や重複使用不能となる状況が発生するのを防止する。
【００１６】
スライドシート２がケース１の開口１１部分までスライドした時、押動部品２３の発生する弾性回復力が釈放されることにより、弾性アーム２３３の上下二側の係合ブロック２３４が位置決め溝１２の対応する係止溝１２１内に係止され、また、金属ケース２１の凹口２１０部分がケース１前側の開口１１部分より突出する。さらに、外部電子カード５が回路モジュール３の絶縁フレーム３２底部の挿入空間３０内に挿入され、並びに電子カード５表面の複数の接点が絶縁フレーム３２の対応する導電端子３３の接触端３３２と電気的接続を形成した後に、ＵＳＢプラグ形式の金属ケース２１が電子装置（図示せず）のＵＳＢポートに挿入接続され、その複数の金属接点３１１がポート内の接続端子と電気的接続を形成し、これにより、データの双方向アクセス、コミュニケーション及び処理などの動作が可能となる。且つ金属ケース２１の凹口２１０部分は一定の厚さが除去され、これにより材料コストが節約され、さらに、外部電子カード５は完全に金属ケース２１と絶縁フレーム３２底部の挿入空間３０内に収容可能であり、金属ケース２１の他の空間位置を占用せず、大幅に本発明のカードリーダー全体の占用する体積と空間が縮限され、こうして製品の薄型化の設計要求に符合するものとされ、且つ携行するのに便利とされている。
【００１７】
このほか、金属ケース２１を再度ケース１の収容空間１０内に戻す時、ただケース１の外側辺の押動部品２３を押圧してスライドシート２及びその金属ケース２１を連帯して後側方向に元の位置へと戻せばよく、構造が簡単で操作が簡単、快速である。さらに、電子カード５を金属ケース２１と絶縁フレーム３２の底部の挿入空間３０外に退出させる時は、ケース１の開口１１部分に位置する斜辺１１１及び金属ケース２１の前側の対応する角の欠け部により、電子カード５の角を金属ケース２１の外側に露出させ、使用者が挿入空間３０外に電子カード５を退出させ並びに速やかに取り出すことができる。また、外部電子カード５は金属ケース２１と回路モジュール３の絶縁フレーム３２底部の挿入空間３０内に挿入され、並びに部品方向或いは位置の制限を受けないため、実用性に優れている。また、スライドシート２の底側に切欠き２６が設けられ、ケース１の底側の該切欠き２６に対応する部分に穿孔１５が設けられ、且つ穿孔１５に紐が通され、携帯或いは収納のいずれにも便利である。
【００１８】
上述の本発明のカードリーダーに使用される電子カード５は、コンパクトフラッシュ（登録商標）カード、メモリースティック（登録商標）カード、ＳＤ（登録商標）カード、マルチメディアカード（登録商標）、スマートメディア（登録商標）カード、或いはミニＳＤ（登録商標）カード、ＭＳ  Ｄｕｏ（登録商標）カード、マイクロＳＤ（登録商標）カード、Ｍ２カード等の規格とされ、且つ電子装置はデスクトップ型コンピュータ、ノートブック型コンピュータ、携帯電話、ＰＤＡ、或いはその他の電子製品とされ得る。並びに本発明のカードリーダーは電子カード５と電子装置にデータの双方向アクセス、コミュニケーション、処理等の動作を行わせる。本発明の明細書及び図面の内容に基づき容易になし得る修飾及び同じ効果を有する構造変化は、いずれも本発明の権利請求範囲に属するものとする。
【００１９】
また、図２、３、４、９の本発明の立体分解図、別角度の立体分解図、側面断面図、別の実施例の側面断面図を参照されたい。これらの図に明らかであるように、ケース１の表面に収容空間１０に連通する挿入口１４が設けられ、且つ該挿入口１４とガイドレール１３は垂直角度を呈し、スライドシート２の後側の挿入口１４にアラインする位置にも垂直にスライドシート２の開口２１１内に連通する挿入溝２５が形成され、さらに、回路モジュール３の回路板３１の後側に垂直方向に拡充モジュール４が結合され、この拡充モジュール４は端子位置決めシート４１を具え、並びに該端子位置決めシート４１に複数の接触端子４２が設けられ、接触端子４２は端子溝４１１内に挿着される基部４２１を具え、該基部４２１の一側のソルダー端４２２が回路板３１表面の対応する接点に半田付けされ、且つソルダー端４２２から離れた別側が反対方向に折り曲げられて延伸され、Ｕ形を呈する弾性折り曲げ部４２３が形成された後、さらに外向きに延伸されて挿入溝２５内に延伸される接触端４２４が形成されている。
【００２０】
上述の部品が組み立てられる時、まず、拡充モジュール４の端子位置決めシート４１が回路モジュール３の回路板３１の後側部分に垂直角度を呈するように結合され、並びに端子位置決めシート４１の二側の同方向に延伸された支持アーム４１２が金属ケース２１の対応する貫通するレール溝２１２方向に押し込まれ、支持アーム４１２がレール溝２１２に嵌め込まれ、これと共に端子位置決めシート４１の上方二側の、対向するよう延伸された圧接片４１３が回路板３１の二側辺と嵌合して一体とされ、さらに端子位置決めシート４１に設けられた複数の接触端子４２が一側のソルダー端４２２で回路板３１の表面の対応する接点に半田付けされ、且つ別側の外側に延伸された接触端４２４がスライドシート２の、ケース１の挿入口１４に対応する挿入溝２５内に延伸され、宙に浮いた状態とされる。
【００２１】
使用時には、ケース１の外側辺の押動部品２３を押動してスライドシート２の一側のＵＳＢプラグ形式に符合する金属ケース２１を開口１１部分より退出させ、且つスライドシート２の挿入溝２５とケース１の挿入口１４に垂直方向に連通する状態を形成させ、こうして外部電子カード５をケース１の挿入口１４内に挿入し、並びに下方の挿入溝２５に挿入して端子位置決めシート４１に設けられた複数の接触端子４２に接触させ、その接触端４２４を圧迫して弾性折り曲げ部４２３を内向きに弾性移動させて良好な弾性保持効果を形成し、電子カード５を挿入溝２５内に完全に挿入した後、接触端子４２の接触端４２４を電子カード５の表面の対応する接点にしっかりと電気的に接続し、確実に位置決めし、且つ外力の影響により位置ずれやぐらつきを発生しないようにし、外部電子カード５の信号の伝送を安定させる。また、別の電子カード５を回路モジュール３の絶縁フレーム３２底部の挿入空間３０内に挿入し、電子カード５の表面の複数の接点を絶縁フレーム３２の対応する導電端子３３の接触端３３２と電気的に接続させ、これにより本発明のカードリーダーは、同時に二つの電子カード５を異なる方向に挿入して使用できる効果を達成し、拡充性が高く、適用範囲が広いものとされ、且つ大幅に製品の競争力が高められている。
【００２２】
以上は本発明の好ましい実施例の説明に過ぎず、本発明の請求範囲を限定するものではなく、本発明の明細書及び図面の内容に基づきなし得る簡易な修飾及び同じ効果を達成できる構造変化はいずれも本発明の請求範囲内に属する。
【図面の簡単な説明】
【００２３】
【図１】本発明の立体外観図である。
【図２】本発明の立体分解図である。
【図３】本発明の別角度の立体分解図である。
【図４】本発明の側面断面図である。
【図５】本発明の使用前の立体図である。
【図６】本発明の使用時の局部立体図である。
【図７】本発明の使用後の立体図である。
【図８】本発明の好ましい実施例の立体図である。
【図９】本発明の別の実施例の側面断面図である。
【図１０】周知の技術の立体分解図である。
【符号の説明】
【００２４】
１  ケース
１０  収容空間              １２１  係止溝
１１  開口                  １３  ガイドレール
１１１  斜辺                １４  挿入口
１２  位置決め溝            １５  穿孔
２  スライドシート
２０  接合空間              ２３３  弾性アーム
２１  金属ケース            ２３３１  凹部
２１０  凹口                ２３４  係合ブロック
２１１  開口                ２３４１  案内面
２１２  レール溝            ２３５  割り溝
２１３  嵌合溝              ２３６  保持ブロック
２１４  係止部              ２４  貫通孔
２１５  空溝                ２４１  弾性片
２２  貫通孔                ２４２  スライドブロック
２３  押動部品              ２４３  係止溝
２３１  基部                ２５  挿入溝
２３２  保持部              ２６    切欠き
３  回路モジュール
３０  挿入空間              ３２２  係止部
３１  回路板                ３２３  凸部
３１１  金属接点            ３３  導電端子
３１２  接合孔              ３３１  ソルダー端
３２  絶縁フレーム          ３３２  接触端
３２１  位置決め柱
４  拡充モジュール
４１  端子位置決めシート    ４２１  基部
４１１  端子溝              ４２２  ソルダー端
４１２  支持アーム          ４２３  弾性折り曲げ部
４１３  圧接片              ４２４  接触端
４２  接触端子
５  電子カード
Ａ  カードリーダー
Ａ１  上ケース        Ａ２  下ケース
Ａ１１  上開口        Ａ２１  下開口
Ｂ  プリント回路板
Ｂ１  ＵＳＢ端子部    Ｂ２  メモリカード端子部
【図１】
2010040025.tif 000003
【図２】
2010040025.tif 000004
【図３】
2010040025.tif 000005
【図４】
2010040025.tif 000006
【図５】
2010040025.tif 000007
【図６】
2010040025.tif 000008
【図７】
2010040025.tif 000009
【図８】
2010040025.tif 000010
【図９】
2010040025.tif 000011
【図１０】
2010040025.tif 000012